【事件の表示】
　特願２００６−２８７７０５「ゴルフスイングフォーム撮影装置」拒絶査定不服審判事件〔平成２０年　５月　８日出願公開、特開２００８−１０４５０９〕について、次のとおり審決する。
【結　論】
　本件審判の請求は、成り立たない。
【理　由】
１．手続の経緯
　本願は、平成１８年１０月２３日の出願であって、平成２３年７月１４日付けで手続補正書が提出され、同年１２月１５日付けで拒絶の査定がなされ、これに対し、平成２４年３月２１日に拒絶査定に対する審判請求がなされたものである。
　
２．本願発明
　本願の請求項１に係る発明は、上記の平成２３年７月１４日付けの手続補正によって補正された特許請求の範囲、明細書、及び図面の記載からみて、特許請求の範囲の請求項１に記載された次のとおりのものと認める。（以下「本願発明」という。） 
「ゴルフスイングの撮影カメラと、
　その撮影に係る画像データを画像表示する表示器と、
　を有し、
　上記表示器は、
　上記画像データを記憶する、記憶容量が小さいＲＡＭ等の記憶手段と、
　上記画像データを表示する表示手段と、
　上記画像データの記憶と表示とを制御する制御手段と、
　を備え、
　上記撮影カメラは、上記ゴルフボールセット位置での画像を撮影し、その撮影の画像データを上記表示器の制御手段に送信し、
　上記制御手段は、
　上記撮影カメラから送信された画像データを上記記憶手段に対して所定時間分記憶させつつ、この記憶が上記所定時間を超えないよう当該記憶を常時更新すると共に、
　上記撮影カメラから送信された画像データからゴルフボール付近の画像データを切り出処理し、
　この切り出した画像データからゴルフボールの有無による画像変化に基づくインパクトを検出処理し、
　上記インパクトを検出したとき、上記記憶手段が記憶する所定時間分の画像データから上記インパクトの検出時刻から約１秒前の時刻までの画像データおよび上記インパクトの検出時刻から約１秒後の時刻までの画像データを取り出してファイルに記憶処理する、
　ことを特徴とするゴルフスイングフォーム撮影装置。」
　
３．引用例
（３−１）引用例１
　原査定の拒絶の理由に引用され、本願の出願前である平成１６年６月１７日に頒布された「特開２００４−１７３２０２号公報」（以下「引用例１」という。）には、次の事項が記載されている。（なお、下線は審決で付した。）
・「図１は、本発明に係る映像記録装置の第１の実施の形態の構成を示すブロック図である。この
映像記録装置は、
デジタルＨＤＤカメラ
である
・「１０８は
メモリ制御部であり、
ビデオ制御部１１０とシステム制御部１１３と協調して、
ＨＤＤ１１２への記録またはＨＤＤ１１２からの読み出しを行う
・「１１２は
ＨＤＤ
であり、
映像信号が保存される
・「１１３は、本発明に係る
各制御処理を実行するためのシステム制御部である
・「１１９は
表示部であり、
ＨＤＤ１１２に記録されている映像を表示する
・「こうした構成のＨＤＣにおいて例えば、ゴルフ練習場での打ちっぱなし練習を撮影する場合、撮影映像におけるそれぞれの
ゴルフスイング
ボールに対してインパクトしたタイミングを基準として、その前後の所定の映像区間だけを１つの動画像ファイルとして記録する制御手法
・「
基準となるインパクトのタイミングを検出するにあたっては、
撮影映像中でのボールが打たれたことの検出
が考えられる
映像のみによる検出を適宜、選択できる
・「図２および図３は、
システム制御部１１３において実行される制御処理
・「ステップＳ２０１のスタートで、カメラの電源を投入し、レンズ１０１を介して入力された映像が表示部１１９に表示されるようにする。そして、撮影開始前の準備として、まず
撮影者（この場合は、ゴルフ練習する本人）が、自分がゴルフショットの練習をする際の姿と打つボールとが映るように、カメラを置く位置やズーム量などを調整してアングルを決める
・「ステップＳ２０２では、ステップＳ２０１で決めたアングルにおいて、図４の撮影シーン「３−１」に示す画面「あ」に示すように、
ゴルフボール２０１を囲むように矩形領域２０２を指定する。矩形領域２０２は、映像変化を検出すべき領域を指定するものであり
・「ステップＳ２０４では、操作部１１６に含まれる撮影開始ボタンが押されたか否かを検出し、
撮影開始ボタンが押されると
動画像信号の記録先として、ランダムアクセス可能なＨＤＤ１１２を対象としている
・「ステップＳ２０５の処理内容を更に詳述すれば、レンズ１０１を介して
入力された映像信号に一連の画像処理が行われ、その後、ビデオ制御部１１０で
得られたデータを、ＨＤＤ１１２内の任意に決められた動画像バッファ記録領域に書き込む
・「撮影データ「３−３」は、
ＨＤＤ１１２上の動画像バッファ記録領域に記録される一連の動画像データを示しており、所定の記憶容量に達すると、領域の最初の部分から上書きされるリングバッファ形態となっている
・「フォーマット形態「３−４」は、一連の動画像データのフォーマット形態を表しており、ＭＰＥＧ２のＳＨ（Ｓｅｑｕｅｎｃｅ Ｈｅａｄｅｒ）とＧＯＰ（Ｇｒｏｕｐ ｏｆ Ｐｉｃｔｕｒｅｓ）の連続した様子を示している。映像データ（ＭＰＥＧのストリーミングデータ）の始めには、画面の水平／垂直サイズやアスペクト比、フィールド／フレームレートなどの各種画面フォーマットなどを指定するシーケンスヘッダ（ｓｅｑｕｅｎｃｅｈｅａｄｅｒ ｃｏｄｅ）が付加され、タイプの異なる複数のピクチャが並んだグループ構成のＧＯＰと合わせて記録される。ＧＯＰは少なくとも１枚のＩピクチャ（Ｉｎｔｒａ−ｃｏｄｅｄ ｐｉｃｔｕｒｅ）を含み、それ以外に、Ｐピクチャ（Ｐｒｅｄｉｃｔｉｖｅ−ｃｏｄｅｄ ｐｉｃｔｕｒｅ）、Ｂピクチャ（Ｂｉｄｉｒｅｃｔｉｏｎａｌｌｙ ｐｒｅｄｉｃｔｉｖｅ−ｃｏｄｅｄ ｐｉｃｔｕｒｅ）が含まれることがあり、通常、１５〜３０ピクチャ程度の比較的短いＧＯＰ構造をとる。」（段落【００４６】）
・「Ｉピクチャは、他のピクチャとは独立して復号化が可能であるので、ランダムアクセス時のアクセス点として利用可能である。また、Ｐピクチャの復号化には過去のＩピクチャの情報が必要であり、Ｂピクチャの復号化には過去と将来のＩピクチャまたはＰピクチャの情報が必要である。動きの速い映像では、動画像を鮮明にするために、ある程度圧縮率を犠牲にしてＢピクチャを入れない制御を行う場合も多い。」（段落【００４８】）
・「ＭＰＥＧ２でのこれら３つのピクチャタイプの構成は、符号器の仕様によって、すなわち圧縮率、ランダムアクセス機能、遅延時間の優先度に応じて構成される。」（段落【００４９】）
・「またここでは、一連の動画像データの中から特定のデータだけをファイルとして取り出すことを前提としているので、符号化時に、前後のＧＯＰと関係なく復号可能なクローズドＧＯＰを用いることとする。」（段落【００５０】）
・「ステップＳ２０７では、ゴルフボールのショット音が検出されたことを受けて、ステップＳ２０２で指定した
矩形領域２０２内での映像変化を
検出して、ゴルフボールが打たれたと認識する
・「ステップＳ２０８では、
ゴルフボール２０１が打たれたことの検出を受けて、
・「ステップＳ２１０では、ステップＳ２０５で
記録開始され連続してＨＤＤ１１２に記録されている一連の動画像信号の内、
タイムコード（トリガ位置を示す時刻情報）を基に、第１の所定時間だけ遡ったフレーム（画像）を検索（ランダムアクセス）する。
ゴルフのスイング練習を対象としているので、第１の所定時間は、スイングの開始タイミングからゴルフボールが打たれたタイミングまでの期間に少なくとも相当し、例えば５秒に設定するものとする。なお、トリガ位置（ゴルフボールが打たれたタイミング）からスイングの終了タイミングまでの期間に少なくとも相当する第２の所定時間（例えば３秒）とする。
合算した時間を第３の所定時間
・「ステップＳ２１２では、
第３の所定時間分の動画像データを１つのファイルとして、
ＨＤＤ１１２の動画像バッファ記録領域とは別の領域に、
動画像ファイルが作成される
　これらの記載事項を総合すると、引用例１には、次の発明（以下、「引用発明１」という。）が記載されているものと認められる。
「ゴルフスイングのデジタルＨＤＤカメラであって、
　デジタルＨＤＤカメラは、
　映像信号が保存されるランダムアクセス可能なＨＤＤと、
　ＨＤＤに記録されている映像を表示する表示部と、
　ＨＤＤへの記録またはＨＤＤからの読み出しを行うメモリ制御部、ビデオ制御部、及びシステム制御部と、
　を備え、
　システム制御部は各制御処理を実行するためのものであり、
　ゴルフ練習する本人が、自分がゴルフショットの練習をする際の姿と打つボールとが映るように、カメラを置く位置やズーム量などを調整してアングルを決め、
　撮影開始ボタンが押されると、入力された映像信号に一連の画像処理が行われ、その後、ビデオ制御部で得られたデータを、ＨＤＤ内の任意に決められた動画像バッファ記録領域に書き込み、
　ＨＤＤ上の動画像バッファ記録領域に記録される一連の動画像データは、所定の記憶容量に達すると、領域の最初の部分から上書きされるリングバッファ形態となっており、
　映像変化を検出すべき領域を指定するために、ゴルフボールを囲むように矩形領域を指定し、矩形領域内での映像変化を検出して、ゴルフボールが打たれたと認識し、
　ゴルフボールが打たれたことの検出を受けて、記録開始され連続してＨＤＤに記録されている一連の動画像信号の内、タイムコード（トリガ位置を示す時刻情報）を基に、スイングの開始タイミングからゴルフボールが打たれたタイミングまでの期間のおける第１の所定時間だけ遡ったフレーム（画像）を検索（ランダムアクセス）し、第１の所定時間とトリガ位置（ゴルフボールが打たれたタイミング）からスイングの終了タイミングまでの期間における第２の所定時間とを合算した時間である第３の所定時間分の動画像データを１つのファイルとして、ＨＤＤの動画像バッファ記録領域とは別の領域に、動画像ファイルが作成される、
　ゴルフスイングの映像記録装置。」
　
（３−２）引用例２
　同じく引用され、本願の出願前である平成１０年１２月２２日に頒布された「特開平１０−３４１４３１号公報」（以下「引用例２」という。）には、次の事項が記載されている。
・「この発明は、
ゴルファー等のフォームチェックに効果的な被写体の動き成分検出処理装置
・「以下、図面を参照して、この発明の好ましい実施の形態について説明する。図１は、この発明の一実施例に係る被写体の動き成分検出処理システムの構成図である。
このシステムは、
ビデオカメラユニット部１と、画像処理装置本体２と、
により構成されている
画像処理装置本体２は、
本体側で出力画像を表示する内蔵の
ＬＣＤ表示部２３と、
を備える
・「また、
この装置には、
装置全体を制御するＣＰＵ４８
が付属されている
・「このシステムによれば、ビデオカメラユニット部１で撮像され、ＮＴＳＣデコーダ４１で
デジタル化された被写体の連続画像は、
画像処理装置本体２に
ハードディスク５１に記録される
　これらの記載事項を総合すると、引用例２には、次の発明（以下、「引用発明２」という。）が記載されているものと認められる。
「ビデオカメラユニット部と画像処理装置本体とにより構成され、画像処理装置本体は、デジタル化された被写体の連続画像を記録するハードディスクと、本体側で出力画像を表示する内蔵のＬＣＤ表示部と、装置全体を制御するＣＰＵとを備えたゴルファー等のフォームチェックに効果的な被写体の動き成分検出処理装置。」
　
（３−３）引用例３
　同じく引用され、本願の出願前である平成１０年８月７日に頒布された「特開平１０−２１０４１６号公報」（以下「引用例３」という。）には、次の事項が記載されている。
・「以下、本発明の実施の形態を、図面に示す実施例を参照して説明する。図１は本発明の
スポーツ動作撮影・再生装置
ゴルフのクラブスイングの撮影を行う
・「その録画時の信号及びデータの流れを図５（ａ）を用いて説明すれば、メインボード７に入力されたカメラ２からの映像信号は、まずＮＴＳＣデコーダ３０により輝度信号Ｙと青色差信号Ｃｂ及赤色差信号Ｃｒとに分離された後、それぞれ個別にＡ／Ｄコンバータ３１によりデジタル変換されるが、特に分離を行わずに直接デジタル変換することも可能であり、この場合はＮＴＳＣデコーダ３０、ＮＴＳＣエンコーダ３７を省略することができる。Ａ／Ｄコンバータ３１でデジタル変換された信号は、制御部３８（のＣＰＵ３８ａ）からの指示により所定のコマ間隔（例えば３０コマ／秒）でサンプリングされて
デジタル動画データとされ、
ＲＡＭ３２内のバッファメモリ３２ａに一旦蓄積される
その後ＲＡＭ３２の再生メモリ３２ｂに記録される
再生メモリ３２ｂとバッファメモリ３２ａの容量は、
それぞれ１Ｍバイト及び０．３Ｍバイト程度である
・「また、操作部８は、録画ボタン８ａ、ポーズボタン８ｂ、ポーズ解除ボタン８ｃ、コマ送りボタン８ｄ、スローボタン８ｅ、及びリセットボタン８ｆから構成されている。録画ボタン８ａは、録画の開始を行うボタンであり、この録画ボタン８ａのオン信号が書込み開始信号となって、カメラ２からの映像信号に基づく動画データのＲＡＭ３２への取込みが開始される。なお、本実施例では
所定の録画時間（例えば１０秒）が経過すると
録画が終了となり
・「次に、図１０に示すように、例えば撮影・再生装置１に音響センサ接続ポート６３を設け、ゴルフボールＢのショット音を検出するためのマイク等の音響センサ６０をここに着脱可能に接続する構成も可能である。この場合、
連続する動画コマの動画データを、ＲＡＭ３２にメモリシフトさせながら順次記憶させ、一定数のコマが記憶されたら、最新の動画コマのデータを取り込むとともに、メモリシフトにより最も古い動画コマのデータを自動的に上書き・消去する処理を、録画が停止されるまでエンドレスに繰り返す
　これらの記載事項を総合すると、引用例３には、次の発明（以下、「引用発明３」という。）が記載されているものと認められる。
「１０秒の録画時間が経過すると録画が終了し、デジタル動画データが、ＲＡＭ内の０．３Ｍバイト程度の容量のバッファメモリに一旦蓄積され、その後１Ｍバイト程度の容量のＲＡＭの再生メモリに記録されものであって、連続する動画コマの動画データを、ＲＡＭにメモリシフトさせながら順次記憶させ、一定数のコマが記憶されたら、最新の動画コマのデータを取り込むとともに、メモリシフトにより最も古い動画コマのデータを自動的に上書き・消去する処理を、録画が停止されるまでエンドレスに繰り返すゴルフのクラブスイングの撮影を行うスポーツ動作撮影・再生装置。」
　
４．対比
　本願発明と引用発明１とを対比すると、
後者における「ゴルフスイングのデジタルＨＤＤカメラ」は、その構造、機能、作用等からみて、前者における「ゴルフスイングの撮影カメラ」に相当し、以下同様に、「ＨＤＤ」は「記憶手段」に、「表示部」は「表示手段」に、「メモリ制御部、ビデオ制御部、及びシステム制御部」は「制御手段」に、「ゴルフスイングの映像記録装置」は「ゴルフスイングフォーム撮影装置」に、それぞれ相当する。
　また、後者の「ＨＤＤ」は、映像信号を保存するものであるから、「画像データを記憶するＨＤＤ」といえ、後者の「表示部」は、ＨＤＤに記録されている映像を表示するものであるから、「画像データを表示する表示部」といえ、後者の「メモリ制御部、ビデオ制御部、及びシステム制御部」は、ＨＤＤへの記録またはＨＤＤからの読み出しを行うと共に、システム制御部は各制御処理を実行するためのものであるから、「画像データの記憶と表示とを制御するメモリ制御部、ビデオ制御部、及びシステム制御部」といえ、後者の「デジタルＨＤＤカメラ」は、ゴルフ練習する本人が、自分がゴルフショットの練習をする際の姿と打つボールとが映るように、カメラを置く位置やズーム量などを調整してアングルを決め、撮影開始ボタンが押されると、ゴルフショットの練習をする際の姿と打つボールとが映った映像を撮影し、その撮影の映像信号に一連の画像処理が行われ、つまりその撮影の画像データをメモリ制御部、ビデオ制御部、及びシステム制御部に送信して画像処理が行われるから、「ゴルフボールセット位置での画像を撮影し、その撮影の画像データをメモリ制御部、ビデオ制御部、及びシステム制御部に送信し」ているといえる。また、後者の「メモリ制御部、ビデオ制御部、及びシステム制御部」は、上記のとおり、画像データの記憶を制御するものであって、ＨＤＤ上の動画像バッファ記録領域に記録される一連の動画像データは、所定の記憶容量に達すると、領域の最初の部分から上書きされるリングバッファ形態となっているから、「デジタルＨＤＤカメラから送信された画像データをＨＤＤに対して所定時間分記憶させつつ、この記憶が上記所定時間を超えないよう当該記憶を常時更新」しているといえ、また、映像変化を検出すべき領域を指定するために、ゴルフボールを囲むように矩形領域を指定し、矩形領域内での映像変化を検出して、ゴルフボールが打たれたと認識しているから、「デジタルＨＤＤカメラから送信された画像データからゴルフボール付近の画像データを切り出処理し、」「この切り出した画像データからゴルフボールの有無による画像変化に基づくインパクトを検出処理し」ているといえ、また、ゴルフボールが打たれたことの検出を受けて、記録開始され連続してＨＤＤに記録されている一連の動画像信号の内、タイムコード（トリガ位置を示す時刻情報）を基に、スイングの開始タイミングからゴルフボールが打たれたタイミングまでの期間のおける第１の所定時間だけ遡ったフレーム（画像）を検索（ランダムアクセス）し、第１の所定時間とトリガ位置（ゴルフボールが打たれたタイミング）からスイングの終了タイミングまでの期間における第２の所定時間とを合算した時間である第３の所定時間分の動画像データを１つのファイルとして、ＨＤＤの動画像バッファ記録領域とは別の領域に、動画像ファイルが作成されるから、「インパクトを検出したとき、ＨＤＤが記憶する所定時間分の画像データから上記インパクトの検出時刻から所定の時刻までの画像データおよび上記インパクトの検出時刻から所定の時刻までの画像データを取り出してファイルに記憶処理」しているといえる。また、後者の上記の「インパクトの検出時刻から所定の時刻」、及び「インパクトの検出時刻から所定の時刻」と前者の「インパクトの検出時刻から約１秒前の時刻」、及び「インパクトの検出時刻から約１秒後の時刻」とは、それぞれ「インパクトの検出時刻から所定の時刻」、及び「インパクトの検出時刻から所定の時刻」との概念で共通する。
　
　したがって、両者は、
「ゴルフスイングの撮影カメラ、
　を有し、
　画像データを記憶する、記憶手段と、
　上記画像データを表示する表示手段と、
　上記画像データの記憶と表示とを制御する制御手段と、
　を備え、
　上記撮影カメラは、上記ゴルフボールセット位置での画像を撮影し、その撮影の画像データを制御手段に送信し、
　上記制御手段は、
　上記撮影カメラから送信された画像データを上記記憶手段に対して所定時間分記憶させつつ、この記憶が上記所定時間を超えないよう当該記憶を常時更新すると共に、
　上記撮影カメラから送信された画像データからゴルフボール付近の画像データを切り出処理し、
　この切り出した画像データからゴルフボールの有無による画像変化に基づくインパクトを検出処理し、
　上記インパクトを検出したとき、上記記憶手段が記憶する所定時間分の画像データから上記インパクトの検出時刻から所定の時刻までの画像データおよび上記インパクトの検出時刻から所定の時刻までの画像データを取り出してファイルに記憶処理する、
　ゴルフスイングフォーム撮影装置。」
　の点で一致し、以下の点で一応相違している。
［相違点１］
　本願発明は、ゴルフスイングフォーム撮影装置が、「ゴルフスイングの撮影カメラと、その撮影に係る画像データを画像表示する表示器と、を有し」、また、記憶手段と、表示手段と、制御手段と、を備えたものが、「表示器」であるのに対し、引用発明１は、ゴルフスイングの映像記録装置が、「デジタルＨＤＤカメラ」のみを有し、また、ＨＤＤと、表示部と、メモリ制御部、ビデオ制御部、及びシステム制御部とを備えたものが、「デジタルＨＤＤカメラ」である点。
［相違点２］
　本願発明は、記憶手段が、「記憶容量が小さいＲＡＭ等」であるのに対し、引用発明１は、ランダムアクセス可能なＨＤＤであって、その記憶容量につき、明らかでない点。
［相違点３］
　本願発明は、インパクトを検出したとき、取り出す画像データを、「上記インパクトの検出時刻から約１秒前の時刻までの」画像データ、及び「上記インパクトの検出時刻から約１秒後の時刻までの」画像データとしたのに対し、引用発明１は、この点につき、第１の所定の時間、及び第２の所定時間と特定するが、その具体的時刻については明らかでない点。
　
５．当審の判断
　上記相違点について以下検討する。
（５−１）相違点１について
　上記３．（３−２）のとおり、引用発明２における「ビデオカメラユニット部」は、その構造、機能、作用等からみて、本願発明における「撮影カメラ」に相当し、以下同様に、「画像処理装置本体」は「表示器」に、「ハードディスク」は「記憶手段」に、「ＬＣＤ表示部」は「表示手段」に、「ＣＰＵ」は「制御手段」に、「ゴルファー等のフォームチェックに効果的な被写体の動き成分検出処理装置」は「ゴルフスイングフォーム撮影装置」に、それぞれ相当する。
　してみると、相違点１に係る本願発明の発明特定事項は、上記引用発明２に備えられている。
　そして、引用発明１と引用発明２とは、共にゴルフスイングフォーム撮影装置という技術分野に属し、ゴルフスイングのチェックを行うという共通の機能、作用を奏するものであり、また、本願発明において、撮影カメラと表示器とを有し、前記表示器は、記憶手段と表示手段と制御手段とを備える点に、格別の技術的意義はない。
　したがって、引用発明１において、引用発明２を適用して、相違点１に係る本願発明の発明特定事項とすることは、当業者が容易に想到し得るものである。
　
（５−２）相違点２について
　上記３．（３−３）のとおり、引用発明３における「ＲＡＭ」は、その構造、機能、作用等からみて、本願発明における「ＲＡＭ等の記憶手段」に相当し、以下同様に、「ゴルフのクラブスイングの撮影を行うスポーツ動作撮影・再生装置」は「ゴルフスイングフォーム撮影装置」に、相当する。そして、引用発明３における「ＲＡＭ」は、０．３Ｍバイト程度の容量のバッファメモリ３２ａと１Ｍバイト程度の容量の再生メモリ３２ｂとから構成されており、記憶容量の小さいものといえる。なお、この点につき、審判請求人も、認めるところである。（審判請求書の第５頁第２１〜２２行参照）
　してみると、相違点２に係る本願発明の発明特定事項は、上記引用発明３に備えられている。
　そして、引用発明１と引用発明３とは、共にゴルフスイングフォーム撮影装置という技術分野に属し、ゴルフスイングのチェックを行う共に、記憶手段は、撮影カメラから送信された画像データを所定時間分記憶させつつ、この記憶が上記所定時間を超えないよう当該記憶を常時更新するという共通の機能、作用を奏するものであり、また、引用例１には、「映像信号の記録媒体としてＨＤＤをあげているが、これに代わって、大容量メモリカードや追記型のＤＶＤメディアなどを使用するようにしてもよい。」（段落【００２３】）と記載されているように、記憶手段としてランダムアクセス可能なＨＨＤ以外のものを使用することが示唆され、引用例３には、「ショット時点前後の所定時間ずつの映像のみを最終的に録画の映像としてメモリに残す構成も可能である」（段落【００２３】）と記載されているように、インパクトの検出時刻からの前後の所定時間の画像データをＲＡＭに記憶処理することが示されている。
　したがって、引用発明１において、引用発明２を適用して、相違点２に係る本願発明の発明特定事項とすることは、当業者が容易に想到し得るものである。
　
（５−３）相違点３について
　本願明細書には、インパクトを検出したとき、取り出す画像データを、「上記インパクトの検出時刻から約１秒前の時刻までの」画像データ、及び「上記インパクトの検出時刻から約１秒後の時刻までの」画像データとしたことについての作用効果は記載されておらず、格別の技術的意義や約１秒という時刻に格別の臨界的意義を有するものではない。また、引用例１には、「これら第１および第２の所定時間は、ユーザにより任意に設定できるように構成するようにしてもよい。」（段落【００２３】）と記載されているように、第１の所定時間、及び第２の所定時間を任意に設定することが示されている。したがって、これらのことから、引用発明１において、相違点３に係る本願発明の発明特定事項とすることは、当業者が所望により適宜容易になし得る程度の設計的事項である。
　
　そして、本願発明の全体構成によって奏される効果も、引用発明１ないし引用発明３から当業者が予測し得る範囲内のものである。
　
（５−３）．むすび
　したがって，本願発明は，引用発明１ないし引用発明３に基づいて当業者が容易に発明をすることができたものであるから，特許法２９条２項の規定により特許を受けることができない。
　
　よって、結論のとおり審決する。